(57)【要約】【課題】大当りである期間を除いたベース期間に小当りを発生させることでベースが変動する虞のある遊技機についても、適切に釘調整度合いを示す遊技情報を提示出来る遊技場用システムを提供する。【解決手段】小当が理論値通りに発生した場合のベース（出玉率）である理論ＢＡを管理するために、実際の小当りに対応したセーフを、理論小当り数（図柄変動数×小当り確率）に応じたセーフ（理論小当り数×小当り１回のセーフ）に置換して理論ベースを特定するようにした。これにより、小当りに応じたセーフが理論小当りセーフであった場合を想定した理論セーフ情報を出力可能となり、小当りの発生頻度に依存しない、本来のベース期間におけるセーフ情報を把握可能となる。【選択図】図２
2014083290.tif 000002
【特許請求の範囲】
【請求項１】
遊技価値を消費することで単位遊技を実行するための始動入賞を得られる遊技が可能な遊技機であって、前記単位遊技の結果に応じた大当り、及び小当りの発生に応じて遊技価値を付与する遊技機の遊技情報を管理対象とした遊技場用システムであって、
前記遊技機側から出力される遊技信号であって、遊技により消費された遊技価値を示すアウトを特定可能なアウト信号、遊技に応じた入賞により付与された遊技価値を示すセーフを特定可能なセーフ信号、前記始動入賞、或いは前記単位遊技の数を示す始動数を特定可能な始動信号、及び大当りが発生している期間を特定可能な大当り信号を含む遊技信号を入力する入力手段と、
前記入力手段が入力した遊技信号により、大当りである期間を除いた期間であるベース期間における前記アウトを示すベースアウト、前記ベース期間における前記セーフを示すベースセーフ、及び前記ベース期間における前記始動数を示す始動情報を特定する遊技情報特定手段と、
前記始動情報により特定される前記始動数に、前記単位遊技により小当りが得られる確率である小当り確率を乗じた値を示す理論小当り数に、予め設定される設定情報、或いは前記遊技機側から出力される遊技信号により特定される前記小当り１回当りに付与される遊技価値の期待値を乗じた値を示す理論小当りセーフが、前記小当りに対応したセーフであった場合における前記ベースセーフである理論ベースセーフ、及び前記理論ベースセーフと前記ベースアウトとの比を示す理論ベースの内、少なくとも一方である理論セーフ情報を特定する理論情報特定手段と、
前記理論情報特定手段による特定結果を出力する出力手段と、
を備えたことを特徴とする遊技場用システム。
【請求項２】
前記入力手段は、前記遊技機側から出力される遊技信号として前記小当りの発生数である小当り数を特定可能な小当り信号を入力し、
前記遊技情報特定手段は、前記入力手段が入力した遊技信号により特定される前記小当り信号に対応した期間において特定した前記セーフである小当りセーフを特定する一方、その小当りセーフと前記小当り数とにより小当り１回当りの平均セーフを特定し、
前記理論情報特定手段は、前記遊技機側から出力される遊技信号により特定される小当り１回当りに付与される遊技価値の期待値を前記小当り１回当りの平均セーフとする一方、前記ベースセーフから前記小当りセーフを減算すると共に前記理論小当りセーフを加算した値を示す数値を前記理論ベースセーフとして前記理論セーフ情報を特定することを特徴とする請求項１記載の遊技場用システム。
【請求項３】
前記理論情報特定手段は、前記始動情報により特定される前記始動数に、前記始動入賞時に付与される遊技価値を乗じた値を示す純ベースセーフに前記理論小当りセーフを加算した値を示す数値を前記理論ベースセーフとして前記理論セーフ情報を特定することを特徴とする請求項１記載の遊技場用システム。
【請求項４】
前記理論情報特定手段は、前記単位遊技により大当りが得られる確率である大当り確率の逆数を前記始動情報により特定される始動数にて除し、更に前記ベースアウトを乗じた値を示す数値を、理論上の大当り確率通りに大当りが発生した場合のベースアウトである理論情報ベースアウトとして特定すると共に、当該理論情報ベースアウトに前記理論ベースを乗じた値を示す数値を理論情報ベースセーフとして特定した上で、ベースアウトを前記理論情報ベースアウト、ベースセーフを前記理論情報ベースとして演算することで各種の遊技情報を特定することを特徴とする請求項１ないし３のいずれかに記載の遊技場用システム。
【請求項５】
前記遊技機は、遊技に応じて成立する予め設定される特別状態成立条件が成立することにより、遊技者にとって有利な特別状態を発生可能であると共に、小当りの発生に応じて開放する大入賞口が設けられており、その大入賞口への入賞に応じて遊技価値を付与し、
前記入力手段は、前記遊技機側から出力される遊技信号として前記特別状態が発生している期間を特定可能な特別状態信号を入力し、
前記遊技情報特定手段は、前記入力手段が入力した遊技信号により、前記ベース期間として特別状態が発生している期間である特別期間を特別状態が発生していない期間である通常期間と区分けして特定し、当該特別期間における前記ベースアウトを特別ベースアウト、前記特別期間における前記ベースセーフを特別ベースセーフ、前記特別期間における前記始動情報を特別始動情報として特定し、
前記理論情報特定手段は、前記特別始動情報により特定される前記始動数に、前記小当り確率を乗じた値を示す理論小当り数により特定される前記理論小当りセーフが、前記小当りに対応したセーフであった場合における前記特別ベースセーフである理論特別ベースセーフ、及び前記特別ベースセーフと前記特別ベースアウトとの比を示す理論ベースの内、少なくとも一方を前記理論セーフ情報として特定することを特徴とする請求項１ないし４のいずれかに記載の遊技場用システム。
【発明の詳細な説明】
【技術分野】
【０００１】
本発明は、大当り、及び小当りの発生に応じて遊技価値を付与する遊技機の遊技情報を管理対象とした遊技場用システムに関する。
【背景技術】
【０００２】
従来、遊技場用システムでは、パチンコ遊技機等の遊技機の遊技情報として出玉率を遊技状態に対応付けて管理しており、例えば特許文献１では「ベース」として通常状態、及び所謂時短状態のような甘モード中等により区分けして出玉率を管理し、釘調整の指標として提示している。
【先行技術文献】
【特許文献】
【０００３】
【特許文献１】特開平０９−１６８６５７号公報
【発明の概要】
【発明が解決しようとする課題】
【０００４】
さて、一般的な遊技機では、通常状態、甘モードに関わらず、所謂図柄変動等の単位遊技を実行するための入賞である始動入賞に対する賞球によってベースが保たれている。そして、近年、甘モード中に状来とは異なる遊技性を備えた遊技機が登場しつつある。即ち、甘モード中の単位遊技をよりスピーディに実行するため、１回の単位遊技に係る時間を大幅に短縮すると共に甘モード中に始動入賞を頻発させても甘モード中のベース（以下、ＢＡ）が高騰しないように始動入賞の賞球数を１や２等と低く設定した遊技機が市場に見受けられるようになった。
このような遊技機の場合、確かにＢＡを低く保ちつつも単位遊技をスピーディに実行出来るが、始動入賞を増加させるだけでは低くなったＢＡを従来と同程度に維持出来ず、結果として遊技者が不満に思う虞がある。そこで、甘モード中に抽選を行い、大当りとは別に小当りを発生させ、その小当りに応じた賞球によりＢＡを維持する遊技機が見受けられるようになった。
【０００５】
しかしながら、このような遊技機は小当りを抽選により発生させるため、その発生頻度の偏り度合に依存してＢＡが安定しなくなる。即ち、釘調整の指標となるＢＡが本来の役割を果たせない遊技情報となる虞がある。また、上記同様に甘モード中だけでなく通常状態においても小当りを発生させてベースを調整する遊技機が登場することも予測出来、通常状態においてもベースが釘調整の指標とならない虞もある。
本発明は上記事情に鑑みてなされたもので、その目的は、大当りである期間を除いたベース期間に小当りを発生させることでベースが変動する虞のある遊技機についても、適切に釘調整度合いを示す遊技情報を提示出来る遊技場用システムを提供することにある。
【課題を解決するための手段】
【０００６】
本発明は、遊技価値を消費することで単位遊技を実行するための始動入賞を得られる遊技が可能な遊技機であって、前記単位遊技の結果に応じた大当り、及び小当りの発生に応じて遊技価値を付与する遊技機の遊技情報を管理対象とした遊技場用システムであって、
前記遊技機側から出力される遊技信号であって、遊技により消費された遊技価値を示すアウトを特定可能なアウト信号、遊技に応じた入賞により付与された遊技価値を示すセーフを特定可能なセーフ信号、前記始動入賞、或いは前記単位遊技の数を示す始動数を特定可能な始動信号、及び大当りが発生している期間を特定可能な大当り信号を含む遊技信号を入力する入力手段と、前記入力手段が入力した遊技信号により、大当りである期間を除いた期間であるベース期間における前記アウトを示すベースアウト、前記ベース期間における前記セーフを示すベースセーフ、及び前記ベース期間における前記始動数を示す始動情報を特定する遊技情報特定手段と、前記始動情報により特定される前記始動数に、前記単位遊技により小当りが得られる確率である小当り確率を乗じた値を示す理論小当り数に、予め設定される設定情報、或いは前記遊技機側から出力される遊技信号により特定される前記小当り１回当りに付与される遊技価値の期待値を乗じた値を示す理論小当りセーフが、前記小当りに対応したセーフであった場合における前記ベースセーフである理論ベースセーフ、及び前記理論ベースセーフと前記ベースアウトとの比を示す理論ベースの内、少なくとも一方である理論セーフ情報を特定する理論情報特定手段と、前記理論情報特定手段による特定結果を出力する出力手段と、を備えたものである（請求項１）。
【０００７】
請求項１記載の遊技場用システムにおいて、
前記入力手段は、前記遊技機側から出力される遊技信号として前記小当りの発生数である小当り数を特定可能な小当り信号を入力し、前記遊技情報特定手段は、前記入力手段が入力した遊技信号により特定される前記小当り信号に対応した期間において特定した前記セーフである小当りセーフを特定する一方、その小当りセーフと前記小当り数とにより小当り１回当りの平均セーフを特定し、前記理論情報特定手段は、前記遊技機側から出力される遊技信号により特定される小当り１回当りに付与される遊技価値の期待値を前記小当り１回当りの平均セーフとする一方、前記ベースセーフから前記小当りセーフを減算すると共に前記理論小当りセーフを加算した値を示す数値を前記理論ベースセーフとして前記理論セーフ情報を特定するようにしても良い（請求項２）。
【０００８】
請求項１記載の遊技場用システムにおいて、
前記理論情報特定手段は、前記始動情報により特定される前記始動数に、前記始動入賞時に付与される遊技価値を乗じた値を示す純ベースセーフに前記理論小当りセーフを加算した値を示す数値を前記理論ベースセーフとして前記理論セーフ情報を特定するようにしても良い（請求項３）。
【０００９】
請求項１ないし３のいずれかに記載の遊技場用システムにおいて、
前記理論情報特定手段は、前記単位遊技により大当りが得られる確率である大当り確率の逆数を前記始動情報により特定される始動数にて除し、更に前記ベースアウトを乗じた値を示す数値を、理論上の大当り確率通りに大当りが発生した場合のベースアウトである理論情報ベースアウトとして特定すると共に、当該理論情報ベースアウトに前記理論ベースを乗じた値を示す数値を理論情報ベースセーフとして特定した上で、ベースアウトを前記理論情報ベースアウト、ベースセーフを前記理論情報ベースとして演算することで各種の遊技情報を特定するようにしても良い（請求項４）。
【００１０】
請求項１ないし４のいずれかに記載の遊技場用システムにおいて、
前記遊技機は、遊技に応じて成立する予め設定される特別状態成立条件が成立することにより、遊技者にとって有利な特別状態を発生可能であると共に、小当りの発生に応じて開放する大入賞口が設けられており、その大入賞口への入賞に応じて遊技価値を付与し、
前記入力手段は、前記遊技機側から出力される遊技信号として前記特別状態が発生している期間を特定可能な特別状態信号を入力し、前記遊技情報特定手段は、前記入力手段が入力した遊技信号により、前記ベース期間として特別状態が発生している期間である特別期間を特別状態が発生していない期間である通常期間と区分けして特定し、当該特別期間における前記ベースアウトを特別ベースアウト、前記特別期間における前記ベースセーフを特別ベースセーフ、前記特別期間における前記始動情報を特別始動情報として特定し、前記理論情報特定手段は、前記特別始動情報により特定される前記始動数に、前記小当り確率を乗じた値を示す理論小当り数により特定される前記理論小当りセーフが、前記小当りに対応したセーフであった場合における前記特別ベースセーフである理論特別ベースセーフ、及び前記特別ベースセーフと前記特別ベースアウトとの比を示す理論ベースの内、少なくとも一方を前記理論セーフ情報として特定するようにしても良い（請求項５）。
【発明の効果】
【００１１】
請求項１の発明によれば、小当りに応じたセーフが理論小当りセーフであった場合を想定した理論セーフ情報を出力可能となり、小当りの発生頻度に依存しない、本来のベース期間におけるセーフ情報を把握可能となる。
請求項２の発明によれば、実際の小当り１回当りの平均セーフに基づき理論セーフ情報を特定するため、小当りに応じて付与される遊技価値の度合いを考慮した、より正確度を高めた理論セーフ情報を特定可能となる。
請求項３の発明によれば、小当り信号が出力されず小当り信号に対応した期間を特定出来ないような遊技機であっても、より正確度を高めた理論セーフ情報を特定可能となる。
【００１２】
請求項４の発明によれば、従来、ベース期間におけるセーフ情報は釘調整等により遊技場側にて調整可能だったが、小当りの発生頻度によりベース期間のセーフ情報が変動する遊技機の場合、釘調整等によりベース期間のセーフ情報を調整出来ず、例え大当り確率通りに大当りが発生した旨を想定して遊技情報を補正しても、小当りの発生頻度に応じて釘調整等が反映された遊技情報と言えない虞が生じ得るが、小当りの発生頻度を考慮した理論情報ベースセーフにより特定することで、小当りの発生頻度によりベース期間のセーフ情報が変動する遊技機であっても、釘調整等が反映された遊技情報を特定し得るようになる。
請求項５の発明によれば、特別状態、即ち、所謂時短等の甘中における理論特別ベースセーフを特定し得るようになり、特別状態中に小当りが発生するような遊技機についても、小当りの発生頻度に依存しない、本来のベース期間におけるセーフ情報を把握可能となる。
【図面の簡単な説明】
【００１３】
【図１】本発明の一実施形態における遊技場用システムの全体構成を概略的に示す図
【図２】大当り履歴を示す図
【図３】理論補正データを示す図
【発明を実施するための形態】
【００１４】
以下、本発明の一実施形態について図面を参照して説明する。
図１は、遊技場用システムの全体構成を概略的に示している。遊技場内には複数の遊技機１が設置されている。本実施形態の場合、遊技機１として、所謂パチンコ遊技機を想定している。各遊技機１には、貸出装置２がそれぞれ付設されている。これら遊技機１及び貸出装置２は、中継装置３に接続されている。この中継装置３は、ＬＡＮ４を介して管理装置５（入力手段、遊技情報特定手段、理論情報特定手段、出力手段に相当）に接続しており、遊技機１や貸出装置２等の遊技機側から出力される各種の遊技信号を管理装置５に送信すると共に、管理装置５から各種の情報を受信する。管理装置５は、遊技場内の例えば事務所等に設置されており、出力手段としてのモニタ６等が接続されている。遊技場内には例えば数百台の遊技機１が設置されており、管理装置５の管理対象となっている。また、遊技場内には、景品交換のための周知のＰＯＳ等も設置されている。
【００１５】
管理対象となる遊技機１は、遊技媒体としての玉（遊技価値。所謂パチンコ玉）を盤面７に発射するためのハンドル８、玉を入賞させるための普図入賞口９、第１始動口１０、第２始動口１１、玉の入賞に応じて表示図柄が変動する表示部１２、大当り時、或いは小当り時に開放する大入賞口１３、玉を払出す上玉受皿１４、及び上玉受皿１４から溢れた玉を一時的に貯留する下玉受皿１５等を備えている。遊技機１は、第１始動口１０或いは第２始動口１１への玉の入賞に応じて大当り抽選を行い、その抽選結果に基づき所謂特別図柄（特図）による図柄変動を表示部１２にて実行する。そして、表示部１２に停止表示された図柄が大当り図柄の場合に大当りを発生させる。ここで、入賞させるために発射された玉数が、遊技者が消費した遊技価値であるアウト（使用玉）に相当し、上記したいずれかの入賞口への入賞に応じて遊技者に付与された玉数が、入賞に応じて遊技者に付与された遊技価値であるセーフ（払出玉）に相当する。
【００１６】
遊技機１は、第１始動口１０または第２始動口１１への入賞（始動入賞に相当）に応じて大当り抽選を行い（単位遊技に相当）、抽選結果に基づき所謂特別図柄（特図）による図柄変動を表示部にて実行し、その結果に応じて大当りを発生させる。尚、所謂保留玉の上限は合計８個で、保留中に始動入賞した場合は上限まで保留し、図柄変動終了後に順次保留した図柄変動を実行する。
第１始動口１０は入賞率が変動しない所謂ヘソタイプの入賞口である一方、第２始動口１１は普図抽選によって入賞率が変動する所謂電チュータイプの入賞口である。
大当り抽選の当選確率（大当り確率）は１／２００で、大当りが発生すると対応するラウンド数（Ｒ）に応じた分だけ大入賞口を開放する。尚、１Ｒの上限入賞数（上限数）は１０個で、上限開放時間は３０秒であり、上限数または上限開放時間の何れかが満たされた場合に１Ｒを終了する。
大当りのラウンドは４Ｒと１６Ｒが１：１の割合で振分けられ、１６Ｒの大当り後は特別状態成立条件が成立したとして確変（特別状態に相当）となり、大当り確率が１／６０に向上すると共に、第２始動口１１への入賞率が向上する時短状態（時短）となる。一方、４Ｒの大当り後はその後、１００回の図柄変動を行うまでの時短となる。
通常状態、甘中には大当り抽選の他に始動入賞に応じて小当り抽選も行っており、第１始動口１０入賞時には１／１００、第２始動口１１入賞時には１／１５で小当り抽選に当選し、当選後は約２秒間大入賞口を開放する小当りを発生する。
また、遊技機１は、盤面７の中央よりも大入賞口１３が右側に配置されており、大当り中、及び後述する小当り中は大入賞口１３への入賞経路が盤面７の右側を狙って玉を発射した方が有利であることから盤面７の中央よりも右側を狙って玉を発射する所謂右打ちを行う。尚、右打ちした場合であっても、大入賞口１３が開放していなければ入賞は見込めない。遊技機１は、確変終了後は通常状態へと戻る。
【００１７】
遊技機側からは以下の信号が出力される。
アウト信号＝消費玉（遊技価値に相当）を回収するアウトＢＯＸから出力される消費価値（アウト）を特定可能な信号（稼動信号）。消費（使用、打込、回収）玉１０玉に対して１パルスが出力されるので、「アウト信号数×１０」をアウトとして特定。尚、遊技機１から出力される信号でも良い。
セーフ信号＝遊技機１から出力される入賞付与価値（セーフ）を特定可能な信号。払出１０玉に対して１パルスが出力されるので、「セーフ信号数×１０」をセーフとして特定する。出力時点として入賞した時点で出力する信号が望ましいが、払出し完了時点で出力する信号でも良い。また、補給装置から出力される補給信号をセーフ信号としても良い。
始動入賞信号＝遊技機１から出力される始動口への入賞（始動入賞）を特定可能な信号。第１始動口１０、第２始動口１１への入賞１回につき１パルスが各々出力されるので、信号入力に応じて始動入賞を特定する（始動信号に相当）。尚、第１始動口１０、第２始動口１１に対応する始動入賞信号を各々第１始動入賞信号、第２始動入賞信号とする。
図柄変動信号＝始動入賞により変動（作動）する液晶表示部（役物）における図柄変動（役物作動、単位遊技）を特定可能な信号。図柄変動確定時に出力されるので、信号入力に応じて図柄変動を特定する（始動信号に相当）。
大当り信号＝遊技機１から出力される大当り期間を特定可能な信号。大当り中にレベル出力される状態信号なので大当り信号入力中を大当り中として特定する。
特別状態信号＝遊技機１から出力される特別状態（甘中）を特定可能な信号。第２始動口１１の入賞率が向上する特別状態中（時短中）にレベル出力される状態信号なので、特別状態信号入力中を特別状態中として特定する。尚、大当り確率が向上する確変中（特別期間に相当）にレベル出力される状態信号（確変信号）であっても良い。また、大当り信号と特別状態信号のいずれも受信していない期間を通常状態（通常期間に相当）として特定する。
小当り信号＝遊技機１から出力される小当り期間を特定可能な信号。小当り中にレベル出力される状態信号なので小当り信号入力中を小当り中として特定する。尚、小当りは通常状態中や甘中に発生するので、小当り信号入力中も通常状態または甘中と特定する。
【００１８】
貸出装置２は、各遊技機１に対応してそれぞれ設けられており、各種の情報を表示する表示部１６、貸出す玉を遊技機１に払出す払出ノズル１７、玉の貸出を受ける対価（例えば、貨幣）を投入する貨幣投入口１８、表示ランプ１９等を備えている。貸出装置２は、遊技者によって貨幣投入口１８に対価が投入されて図示しない貸出釦が押下（操作）されると、例えば１玉４円で貸出す場合には１２５玉等の貸出単位の玉を払出ノズル１７から遊技機１に払出す貸出処理を実行する。このとき、貸出装置２は、対価と引換に遊技者に払出（付与）した玉数である売上玉数と、その売上玉数に対応する対価を減算した残り（つまり、残高）とを記憶する。また、貸出装置２は、その動作状態を表示ランプ１９により遊技場の従業員等に報知する。
【００１９】
管理装置５は、ＣＰＵ、ＲＯＭ及びＲＡＭ等で構成された制御部、ＨＤＤ等で構成された記憶部、及び上記した遊技信号等の送受信を行う入出力部等を備えている。管理装置５は、記憶部に記憶されている制御プログラムに従って作動し、入出力部に入力される遊技機１側からの遊技信号により特定される遊技情報を管理する。具体的には、管理装置５は、遊技機１側から入力されるアウト信号に基づいてアウトを特定したり、セーフ信号に基づいてセーフを特定したりすること等により、出玉率や稼動率或いは売上額等の遊技情報を、遊技機１毎、遊技台の機種毎或いは遊技場全体で集計及び管理し、遊技履歴等を表示、或いは印字出力する。
【００２０】
さて、上述したように対象となる遊技機１は甘中の図柄変動時の抽選に応じて大入賞口１３を開放（例えば２秒）する小当りを発生可能であり、その小当りの発生頻度によりＢＡ（甘中出玉率）が変動する。このような小当りは抽選により発生させるため、その発生頻度の偏り度合に依存してＢＡが安定しなくなる。即ち、釘調整の指標となるＢＡが本来の役割を果たせない遊技情報となる虞がある。
そこで、このように小当りの発生状況によりＢＡが不安定となり管理が難しくなる点に着眼し、小当りに応じたセーフが理論小当りセーフ（以下、理論小セーフ）であった場合を想定した理論セーフ情報を管理装置５から出力可能とした。管理装置５は、このような理論セーフ情報を出力するために、遊技機１毎の遊技履歴を管理し、実際に発生した小当り数（以下、実小当り）と実際のＢＡ（以下、実ＢＡ）とを管理すると共に、小当りが小当り確率（理論値）通り発生した場合における小当り数（以下、理小当り）とＢＡ（以下、理論ＢＡ）とを管理するようになっている。以下、実際のデータは実、理論データは理を区別のため冒頭に記載する。
【００２１】
図２は大当りの発生単位で集計した所謂大当り履歴を示しており、以下の各項目が設定されている。
時刻＝レコード対応時刻で、大当り発生時刻だが、レコード確定時刻等レコードに対応していればどのような時刻でも良い。
アウト、セーフ、Ｔ１Ｙ＝アウトは遊技機１への打込玉数（消費価値）、セーフは遊技機１からの払出玉数（入賞付与価値）、Ｔ１Ｙは大当り中の出玉（セーフ−アウト）。右下隅の集計欄のＴ１Ｙ１はＴ１Ｙが基準値（１０００）未満の大当り、Ｔ１Ｙ２は基準値以上の大当りの集計値を示し、回数は大当り回数、合計はＴ１Ｙ１（２）の合計値、平均はＴ１Ｙ１（２）の平均値（合計÷回数）、平均Ｔ１Ｏは大当り中のアウトの平均をＴ１Ｙ１（２）同様にして集計。尚、図２の履歴上ではＴ１Ｏを出力対象としていないが、集計自体はアウト等と同様に集計している。以下、接頭の「Ｔ１」は大当り中を示す。
実ベースデータ＝実際の大当り中以外のベースデータ（大当り中以外の期間のデータ）で、Ｓ（始動情報に相当）は図柄変動数（スタート）、Ｓ入賞は始動入賞数、実小当りは小当りの発生回数で、実小セーフ（小当りセーフに相当）は小当り中のセーフ、実ベースはアウト（ベースアウトに相当）と実セーフ（ベースセーフに相当）との比（出玉率＝セーフ÷アウト）、純ベースは小セーフを除いた出玉率（（セーフ−小セーフ）÷アウト）。
理論ベースデータ＝小当りが理論値通りに（発生確率の逆数分の図柄変動により）発生した場合におけるベースデータ（大当り中以外の期間のデータ）で、理小当りはＳ×小当り確率（通常状態では第１始動口１０、甘中は第２始動口１１の小当り確率）、理小セーフは理小当り×（実小セーフ÷実小当り）、理ベースは理小セーフ÷実アウト＋純ベース。つまり、小当り抽選は大当り抽選同様に図柄変動（Ｓ）分の抽選が行われるため、理小当りはＳ×小当り確率にて求める。また、実際の小当り時のセーフ（実小セーフ）の合計と実小当りの合計とから小当り１回当りのセーフの平均値（実小セーフ÷実小当り）を求め、理小当りにセーフの平均値を乗じて理小当りに対応した小当り時のセーフ（理小セーフ）を求めるのである。
通常、甘中＝対応する状態により区分けした集計値で、平均は各レコードの平均、合計は各レコードの合計を示す。尚、Ｓ、Ｓ入賞の平均は合計アウトに対する合計Ｓ（または合計Ｓ入賞）の比（合計Ｓ÷合計アウト等）を示し、小当り（実、理共に）は合計Ｓに対する合計小当りの比（合計小当り÷合計Ｓ）を示す。また、ベース、純ベースの合計は合計データを各項目の演算式に当て込んだ値。
【００２２】
図２においては、甘中の対応レコードを例えば黄色（図２では斜線）にて識別しているが、通常状態のベースは各レコード共にほぼ一定の値である一方、ＢＡはＮＯ．７の８８．３％〜ＮＯ．３の１９５．９％まで、かなり不安定な値となっており、その理由は上述した小セーフ、即ち小当りの発生状況に因る。尚、実ベースデータにおける甘中のＳが特別始動情報に相当し、アウトが特別ベースアウトに相当し、セーフが特別ベースセーフに相当する。また、理論ベースデータにおける甘中の小セーフが理論特別ベースセーフに相当し、ベースが理論ベースに相当する。
【００２３】
小当りは通常状態でも発生するが、小当りにより開放する大入賞口１３は盤面７の右側にあり、通常状態では盤面７の左側に設けられた普図入賞口９を狙う左打ちで遊技するため小当りによる賞球は得難い。よって、小当りが発生してもベースは変動し無いが、甘中では盤面７の右側を狙う右打ちで遊技することから小当りの発生に応じた大入賞口１３への入賞（以下、小入賞）によりＢＡは変動し得る。
【００２４】
小セーフは小当り期間中のセーフであり小入賞分のセーフを示す。尚、小当りは非常に短期間であり第２始動口１１等の他の入賞口への入賞（以下、他入賞）可能性が低いことから本実施形態では他入賞分のセーフ（以下、他セーフ）を考慮せず、小当り中のセーフを小セーフとして特定したが、純粋な小入賞分のセーフを特定するため、例えば小当り中の第２始動入賞数×第２始動口１１の単位賞球や、小当り期間を除いた期間のＢＡを別途特定すると共に小当り中のアウトを特定し、それらを乗ずることで特定される小当り中の他セーフを小セーフから除外しても良い。
【００２５】
ここで、本実施形態では、小当り１回当りの開放時間が固定的な遊技機１を想定しているため、小当り１回当りのセーフは安定した値となる。即ち、小当りの発生頻度によりＢＡが不安定となるので、小当りがスペック上の確率通り（例えば１／１５で）発生した場合を想定し、理論上の小当りの発生回数により理論ＢＡを特定する。
即ち、小当りは図柄変動により抽選されるので、Ｓに小当り確率を乗ずることで理小当りを特定する。例えば図２のＮＯ．２であれば実小当は１２回だが、Ｓは６３回なので、理小当りは６３×（１／１５）＝４．２回となる。そして、１回の小当りにて期待出来るセーフは甘中の合計における実小当り２２０回に対して実小セーフが５０８０なので、５０８０÷２２０＝２３．１となり、理小セーフは４．２×２３．１≒９７となる。
【００２６】
甘中のセーフは小セーフ及び他セーフにより構成されるので、他セーフに対応する純ベース（５６．３％）に理小セーフ分のベースを加算して理論ＢＡを特定する。つまり、実小セーフ分を除いた純ベース（（セーフ−小セーフ）÷アウト）を求め、更に理小セーフ分のベース（理セーフ÷アウト）に加算して理論ＢＡ（純ベース＋理小セーフ分のベース）を特定するのである。具体的には、図２のＮＯ．２の実アウトが３２０なので理小セーフ分のベースは９７÷３２０≒３０．３％となり、理論ＢＡは５６．３％＋３０．３％＝８６．６％となる。尚、純ベースを求めずに理論ＢＡを求める等、演算過程はどのような演算方法でも良く、例えば（セーフ−実小セーフ＋理小セーフ）÷アウトから求めても良い。
各レコードの理論ＢＡは以上の様にして求め、合計欄の理論ＢＡは実Ｓの合計が１１７８なので、理小当りは１１７８×（１／１５）≒７８．５回となり、理小セーフの合計は７８．５×２３．１≒１８１５となる。尚、説明上、少数点２位以下を四捨五入しているので若干の誤差がある。
【００２７】
さて、図２における実ＢＡは１４０．８％であるのに理論ＢＡは８７．４％である。つまり、実ＢＡだけを管理する場合、小当りの発生頻度が高くなると実ＢＡが高くなり釘調整が必要と思われる虞もあるが、小当りが理論値通り発生した場合の理論ＢＡによれば８７．４％というほぼ適正な数値となるため、釘調整を行う必要がない等の判断が可能となる。勿論、小当りの発生頻度が低ければ実ＢＡも低くなるが、この場合も、理論ＢＡによれば適正な釘調整であることを把握出来る。
尚、理論ＢＡや小当り１回当りのセーフの平均値は図２のようにレコード単位や１営業日単位で特定しても、営業日単位で複数日分記憶した遊技情報から期間を指定して特定しても良い。
【００２８】
管理装置５は、管理者の操作に応じて図２の遊技情報から理論補正データを表示する。
図３は管理装置５による理論補正データを示しており、以下の各項目が設定されている。
実データ＝図２のようにして集計した実際の遊技情報で、出率は出玉率（セーフ÷アウト）、ベース、ＢＡは各々通常状態、甘中の出玉率（図２のベースの平均欄参照）、Ｓ％、Ｓ％Ａは各々通常状態、甘中の図柄変動比（図２のＳの平均欄参照）、平均Ｔ１Ｏ１（２）は、図２のＴ１Ｙ１（２）の集計欄の平均値、同様に平均Ｔ１セーフ１（２）は図２の集計欄の平均値のＴ１Ｙ１（２）＋Ｔ１Ｏ１（２）、即ち、大当り中の平均セーフを示す。尚、以下も含め、冒頭のＢは通常状態または甘中に対応する旨を示し、甘中に対応する場合は更に最後にＡを付ける。
設定情報＝遊技機１のスペック等により特定される予め設定される設定値（スペック情報）で、ＴＳ、ＴＳＡは各々通常状態、確変中の大当り確率の逆数を示す理論上の大当り間平均Ｓ、第１Ｒ率、第２Ｒ率は各々、Ｔ１Ｙ１に対応する大当り（例えば４Ｒ）の振分率とＴ１Ｙ２に対応する大当り（例えば１６Ｒ）の振分率。尚、Ｔ１Ｙの集計も併せ、他に振分候補となる大当りがあれば適宜対応すれば良い。継続数は通常状態にて大当りが発生してから通常状態に戻るまでに発生し得る大当り数の期待値で、甘モードとして時短単独状態とならなければ、１÷（１−確変率）にて示される値だが、本実施形態では時短単独状態が発生し得る遊技機１を想定しているので、その時短により発生し得る大当りも考慮した数値としている。尚、ＴＳＡも時短中を考慮した理論上の大当り確率としても良い。
理論データ＝大当りが大当り確率通りに発生した場合を想定した遊技情報であり、理Ｂアウト（理論情報ベースアウトに相当）はＴＳ÷Ｓ％、理Ｂセーフ（理論情報ベースセーフに相当）は理Ｂアウト×ベース、理Ｔ１アウトはＲ振分等を考慮した大当り１回当りの平均Ｔ１アウト（平均Ｔ１Ｏ１×第１Ｒ率＋平均Ｔ１Ｏ２×第２Ｒ率）で、理Ｔ１セーフも同様に、平均Ｔ１セーフ１×第１Ｒ率＋平均Ｔ１セーフ２×第２Ｒ率、理ＢアウトＡはＴＳＡ÷Ｓ％Ａ×（継続数−１）、理ＢセーフＡは理ＢアウトＡ×ＢＡ（ＢＡは甘中のベースだが、新理論データでは図２にて求めた理論ベースデータの値を採用する一方、旧理論データでは実ベースデータの値を採用）、理Ｔアウトは理Ｔ１アウト×継続数＋ＢアウトＡ、理Ｔセーフは理Ｔ１セーフ×継続数＋ＢセーフＡ、理アウトは理Ｂアウト＋理Ｔアウト、理セーフは理Ｂセーフ＋理Ｔセーフ、理出率は理セーフ÷理アウト。
【００２９】
このように理論データは通常状態にて大当り（所謂初当り）を発生させるまでとその初当り後、通常状態に戻るまでのワンサイクルにおける遊技情報を示し、大当りの抽選確率、大当りラウンドの振分、及び初当り後の継続数のような抽選により左右され釘調整により調整不能なデータが理論値通りであった場合に、ベースやＴ１Ｙ等の釘調整により調整可能なデータが実際のデータであれば、どのようなデータとなるかを示すシミュレーションデータである。
【００３０】
また、上述のような理論データは、特開２００５−１３１４３７号公報のような図３に示す従来の理論データ（旧理論データ）にも応用出来る。即ち、ＢＡは従来、他セーフに依存しており釘調整により調整可能な遊技情報であったため、従来の理論データでは実データを用いて演算しており、旧理論データに示すような理出率を演算していたが、本実施形態の理論ＢＡを利用した新理論データによれば小当りの発生頻度を考慮した適切な理論データを演算出来る。
尚、特定した遊技情報は周知の通り、台別または機種別に集計して一覧出力する等、台別または機種別に比較可能に出力（表示または印字）すれば良い。
理論ＢＡは図３の理論データのように大当りが大当り確率通りに発生した場合のシミュレートデータを演算する際にも適用可能である。
【００３１】
また、遊技機から出力される信号やシステム側に設ける入力端子等を考慮して、小セーフを予め設定した値としたり、小セーフ分を除いたセーフや純ベースを特定する際に、以下のように始動入賞数や図柄変動数により特定したりしても良い。
（１）小当り信号は小当りの発生に応じて出力されるが、小当り期間中に継続して出力されない等により、小当り期間を特定出来ない場合
小当り１回分のセーフの期待値（例えば２３個。以下、設小セーフ）を予め設定しておき、小当り信号にて小当りの発生回数を特定し、小セーフ（実小当り数×設小セーフ）、純ベース（（セーフ−小セーフ）÷アウト）を特定し、上述の実施形態同様に理小当り（Ｓ×小当り確率）を求めて、理論ＢＡ（純ベース＋理小当り×設小セーフ÷アウト）を求める。
また、小当り信号出力時から小当り時の大入賞口１３の開放時間等に対応した予め設定される期間が経過するまでの期間におけるセーフを小セーフと特定しても良い。即ち、小当り信号に対応した小当り期間とは小当り信号の出力期間、及び小当り信号入力時から設定期間が経過するまでの期間となる。
【００３２】
（２）甘中に左打ち（大入賞も可）する等して第２始動口１１だけでなく第１始動口１０にも入賞する遊技機の場合
純ベース＝（セーフ−小セーフ）÷アウトのように小セーフを除いて純ベースを特定する場合は上述の実施形態と同様だが、始動入賞×単位賞球÷アウトのように始動入賞により純ベースを求める場合は以下の通りとすれば良い。
始動入賞が遊技信号によりいずれの始動口に対応するかを区別出来る場合には（（第１始動入賞×第１単位賞球＋第２始動入賞×第２単位賞球）÷アウト）にて求める（第１（２）単位賞球は第１（２）始動口への入賞１回当りの賞球で予め設定しておく）。
区別出来無い場合は（（甘中入賞Ｓ−通常入賞Ｓ）×第２単位賞球）÷アウト＋ベース）にて純ベースを求めれば良い。この場合、始動口以外の入賞口への入賞を考慮して一般入賞口ベース（ベース−（（第１始動入賞×第１単位賞球）÷アウト）を別途実データから特定したり、予め設定する等して純ベースに加算したりしても良い。
また、通常時に小当りが発生した場合にも小セーフを得られるので、理論ＢＡ同様に通常状態における理論ベースを特定しても良い。
（３）小当り信号が出力されない場合等、遊技信号により小当り自体を特定出来ない場合
上述の通り、始動入賞により純ベースを求めると共に、上述の実施形態と同様に理小当り数を求め、理論ＢＡを（純ベース＋理小当り数×設小セーフ÷アウト）を特定する。
【００３３】
また、始動入賞と図柄変動を区別して特定出来ない場合には両者を区別せずに理論ＢＡを特定しても良いが、始動入賞が特定出来ない場合には一般入賞口ベースを図柄変動しなかった始動入賞による賞球を考慮して予め設定して純ベースに加算したり、想定される始動入賞に対する図柄変動の割合を設定しておき、その割合により図柄変動から始動入賞または始動入賞から図柄変動を特定して理論ＢＡを特定したりしても良い。勿論、始動入賞数をそのまま単位遊技数としたり、単位遊技数を始動入賞数として大凡の理論ＢＡを特定したりしても良い。即ち、始動入賞及び図柄変動の数を特定可能な始動信号とは始動入賞信号、及び図柄変動信号の少なくとも一方を示す。
尚、説明の都合上、純ベースを求めてから理論ＢＡを特定すること等を例示したが、いずれにおいても純ベースを別途求めることなく、理論ＢＡの演算式に純ベースの演算式を組込んで理論ＢＡを特定する等、理論ＢＡに限らず例示した演算式はどのような演算式を用いても良い。
【００３４】
このような実施形態によれば、以下のような効果を奏する。
小当りが理論値通りに発生した場合のベース（出玉率）である理ＢＡを管理するために、実際の小当りに対応したセーフを、理論小当り数（図柄変動数×小当り確率）に応じたセーフ（理論小当り数×小当り１回のセーフ）に置換して理論ベースを特定するようにしたので、小当りに応じたセーフが理小セーフであった場合を想定した理論セーフ情報を出力可能となり、小当りの発生頻度に依存しない、本来のベース期間におけるセーフ情報を把握可能となる。
【００３５】
実小セーフを特定した上で、平均実小セーフ×理小当り数により理小セーフを特定し、セーフ−実小セーフ＋理小セーフにより理セーフを特定して理論ＢＡを特定するようにしたので、実際の小当り１回当りの平均セーフに基づき理論セーフ情報を特定でき、小当りに応じて付与される遊技価値の度合いを考慮した、より正確度を高めた理論セーフ情報を特定可能となる。
理Ｂアウト＝ＴＳ÷Ｓ％（Ｓ％＝Ｓ÷ＢＯ）、理Ｂセーフ＝理Ｂアウト×理ベースとして各種データを特定するようにしたので、小当りの発生頻度を考慮した理Ｂセーフにより特定することで、小当りの発生頻度によりベース期間のセーフ情報が変動する遊技機であっても、釘調整等が反映された遊技情報を特定し得るようになる。
甘中の理論ＢＡを特定するようにしたので、甘中におけるベースセーフ（理論特別ベースセーフに相当）を特定し得るようになり、甘中に小当りが発生するような遊技機についても、小当りの発生頻度に依存しない、本来のベース期間におけるセーフ情報を把握可能となる。
【００３６】
（その他の実施形態）
本発明は、上記実施形態に限定されることなく、次のように変形または拡張できる。
小当り１回分のセーフとして、小当りによる大入賞口の開放期間が一定であり期待出来る出玉が固定的な遊技機を例示したため、実データにおける平均値を参照したが、例えば小当り期間が１秒、２秒、４秒等に振り分けられ、期待出来る出玉も振分けられる場合には、ラウンド数と同様の方法で１回の小セーフ別に小当りの開放期間等の小当りの種類を特定し、その種類別に平均小セーフを演算した上で、その振分け割合により小セーフの理論値を特定しても良い。
小当りとして、大入賞口１３を開放する等、他の入賞口の入賞率を向上させる開放状態とすることを例示したが、小当りに応じて他の入賞を条件とすることなく遊技価値を付与するような遊技機を管理対象としても良い。
単位遊技として、大当りとなるか否かを特定するための第１単位遊技と小当りとなるか否かを特定するための第２単位遊技とを区分けした遊技機を管理対象としても良い。この場合、遊技機側から第１単位遊技に対応した第１単位遊技信号と第２単位遊技に対応した第２単位遊技信号とが区分けして出力されれば、両者を区分けして特定すれば良い。
図３等の設定情報は遊技場管理者が任意に設定しても、予め管理装置５の製造メーカにて設定しても、外部（例えばチェーン店本部等）の管理サーバから設定情報をダウンロードして設定しても良い。
例示した全ての遊技情報は入力した信号により直接的に特定しても演算式を利用して間接的に特定しても良い。また、数値、桁数、項目等は例示であり、どのような数値を採用しても良い。
【００３７】
ベースアウトを前記理論情報ベースアウト、ベースセーフを前記理論情報ベースセーフとして演算することで特定される各種の遊技情報として出玉率を例示したが、他に、理論情報ベースアウト−理論情報ベースセーフにより理論情報Ｂ差を求めても良いし、更に、例えば玉単価（売上額÷アウト）や客滞率（（Ｂアウト−Ｂセーフ）÷売上玉）を実績データや操作入力により設定値として予め特定し、理アウトに玉単価を乗じたり、理論情報Ｂ差を客滞率にて除したりすることで、理論データに対応した売上額や売上玉である理売上額や理売上玉を特定しても良いし、更に（理売上玉＋理セーフ−理アウト）÷理売上玉にて理論上の割数や、理売上額−（理売上玉＋理セーフ−理アウト）×交換単価に実アウト÷理アウトを乗ずれば理論上の粗利等を演算出来る。（詳細は既に例示した公知例に記載されている）。尚、売上額や売上玉は周知の通り貸出機から出力される売上信号により特定する。
図３にて理ＢアウトをＴＳ÷Ｓ％にて求めたが、これはＳ％をＳ÷実ベースアウトにより求めていることから、大当り確率の逆数（ＴＳ）を始動数（Ｓ）にて除し、更に実ベースアウトを乗じた値を示している。このように、理論ＢＡ同様に、どのような演算式によりどのような遊技情報を特定しても良い。
【００３８】
対象となる遊技機としては遊技媒体をデータのみで管理する所謂封入式等の例示したパチンコ遊技機以外のパチンコ遊技機等も採用できる。尚、所謂封入式を考慮して遊技媒体は必要に応じて遊技価値と表現する。
時短や確変等の特別状態（甘中）を発生可能な遊技機を例示したが、特別状態を発生し得ない遊技機を管理対象としても良い。
ラウンド数の定義として遊技機におけるラウンド数としたが、例えばラウンド数の振分け自体は行わず１６Ｒとするが、一方の大当りは４Ｒまでは通常開放（例えば３０秒）するが、５Ｒ以降は短期開放（例えば０．１秒）として実質的なＲ数を４Ｒとするが、他方の大当りは１６Ｒまで通常開放して実質的なＲ数も１６Ｒとするような実質的なラウンド数の振分を行う遊技機に本案を適用しても良い。
始動入賞口が複数ある遊技機を例示したがヘソタイプ、或いは電チュータイプのいずれか等、始動入賞口が単数しか設けられない遊技機や、単位遊技として役物を開放して役物内にて物理的な振分けにより小当りや大当りを発生させる遊技機を管理対象としても良い。即ち、小当り確率等は抽選確率だけでなく振分け確率等も含まれる概念となる。
管理装置５が行う処理の一部を中継装置３、或いは遊技装置等にて行っても良い。また、変形例を含む例示した構成をどのように組合わせても良い。
【符号の説明】
【００３９】
図面中、１は遊技機、５は管理装置（入力手段、遊技情報特定手段、理論情報特定手段、出力手段）である。
【図１】
2014083290.tif 000003
【図２】
2014083290.tif 000004
【図３】
2014083290.tif 000005